【手続補正書】
【提出日】平成17年1月25日(2005.1.25)
【手続補正１】
【補正対象書類名】明細書
【補正対象項目名】発明の名称
【補正方法】変更
【補正の内容】
【発明の名称】３群ズーム光学系及びそれを備えたカメラ
【手続補正２】
【補正対象書類名】明細書
【補正対象項目名】特許請求の範囲
【補正方法】変更
【補正の内容】
【特許請求の範囲】
【請求項１】
物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系を備え、
前記第１レンズ群が、最も物体側に負レンズを配置して構成され、
前記第２レンズ群が、物体側より順に、物体側に非球面を有する負レンズと、正レンズと、正レンズの３枚のレンズで構成され、
次の条件式を満足することを特徴とするカメラ。
０．６２  ＜  ｆ１／｜ｆ Ｌ１１｜  ＜  １．４
１．１  ＜  ｆｗ／ｈ  ＜  １．６
但し、ｆ１は第１レンズ群の焦点距離、ｆ Ｌ１１は第１レンズ群における最も物体側に配置された負レンズの焦点距離、ｆｗは広角端での焦点距離、ｈは最大像高である。
【請求項２】
物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系を備え、
前記第１レンズ群が、最も物体側に負レンズを配置して構成され、
前記第２レンズ群が、物体側より順に、物体側に非球面を有する負レンズと正レンズとの接合レンズと、正の単レンズとで構成され、
次の条件式のうち少なくとも一方を満足することを特徴とするカメラ。
Ｌｔ／ｆｔ  ＜  １．０
０．５  ＜  ｜ｆ３｜／ｈ  ＜  ０．９
但し、Ｌｔは望遠端での３群ズーム光学系の全長、ｆｔは望遠端の焦点距離、ｆ３は第３レンズ群の焦点距離、ｈは最大像高である。
【請求項３】
物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系において、
前記第１レンズ群が、物体側に凹面を向けた負のメニスカスレンズを、最も物体側に配置して構成され、
前記第２レンズ群が、物体側より順に、物体側に非球面を有する負レンズと正レンズとの接合レンズと、正の単レンズとで構成されていることを特徴とする３群ズーム光学系。
【請求項４】
物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系において、
前記第１レンズ群が、物体側に凹面を向けた負レンズを、最も物体側に配置して構成され、
前記第２レンズ群が、物体側より順に、物体側に非球面を有する負レンズと、正レンズと、正レンズの３枚のレンズで構成され、
前記第３レンズ群が、物体側より順に、レンズと、負レンズとで構成され、
次の条件式を満足することを特徴とする３群ズーム光学系。
２．８  ＜  ｆｔ／ｆｗ
但し、ｆｔは望遠端の焦点距離、ｆｗは広角端の焦点距離である。
【請求項５】
物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系において、
前記第１レンズ群が、物体側に凹面を向けた負のメニスカスレンズを、最も物体側に配置して構成され、
前記第２レンズ群が、物体側より順に、物体側に非球面を有する負レンズと、正レンズと、正レンズの３枚のレンズで構成され、
前記第３レンズ群が、物体側より順に、レンズと、負レンズとで構成されていることを特徴とする３群ズーム光学系。
【請求項６】
物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系において、
前記第１レンズ群が、物体側に凹面を向けた負レンズを、最も物体側に配置して構成され、
前記第２レンズ群が、物体側より順に、物体側に非球面を有する負レンズと、正レンズと、正レンズの３枚のレンズで構成され、
前記第３レンズ群が、物体側より順に、プラスチックレンズと、負レンズとで構成されていることを特徴とする３群ズーム光学系。
【請求項７】
次の条件式を満足することを特徴とする請求項１に記載のカメラ。
２．８  ＜  ｆｔ／ｆｗ
但し、ｆｔは望遠端の焦点距離、ｆｗは広角端の焦点距離である。
【請求項８】
前記第２レンズ群における前記物体側に非球面を有する負レンズと該負レンズの隣の正レンズとを接合レンズとしたことを特徴とする請求項１に記載のカメラ。
【請求項９】
次の条件式の少なくとも一方を満足することを特徴とする請求項１に記載のカメラ。
Ｌｔ／ｆｔ  ＜  １．０
０．５  ＜  ｜ｆ３｜／ｈ  ＜  ０．９
但し、Ｌｔは望遠端での３群ズーム光学系の全長、ｆｔは望遠端の焦点距離、ｆ３は第３レンズ群の焦点距離、ｈは最大像高である。
【請求項１０】
前記負の屈折力を有する第３レンズ群が、物体側より順に、少なくとも１面の非球面を有するプラスチックレンズと、負レンズとで構成されていることを特徴とする請求項１に記載のカメラ。
【請求項１１】
前記プラスチックレンズが、次の条件式を満足することを特徴とする請求項１０に記載のカメラ。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
【請求項１２】
前記第１レンズ群における最も物体側に配置された負レンズが、物体側に凹面を向けたメニスカスレンズで構成されていることを特徴とする請求項２に記載のカメラ。
【請求項１３】
次の条件式を満足することを特徴とする請求項２に記載のカメラ。
２．８  ＜  ｆｔ／ｆｗ
但し、ｆｔは望遠端の焦点距離、ｆｗは広角端の焦点距離である。
【請求項１４】
次の条件式を満足することを特徴とする請求項２に記載のカメラ。
０．６２  ＜  ｆ１／｜ｆ_Ｌ１１｜  ＜  １．４
１．１  ＜  ｆｗ／ｈ  ＜  １．６
但し、ｆ１は第１レンズ群の焦点距離、ｆ_Ｌ１１は第１レンズ群における最も物体側に配置された負レンズの焦点距離、ｆｗは広角端での焦点距離、ｈは最大像高である。
【請求項１５】
前記負の屈折力を有する第３レンズ群が、物体側より順に、少なくとも１面の非球面を有するプラスチックレンズと、負レンズとで構成されていることを特徴とする請求項２に記載のカメラ。
【請求項１６】
前記プラスチックレンズが、次の条件式を満足することを特徴とする請求項１５に記載のカメラ。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
【請求項１７】
次の条件式を満足することを特徴とする請求項３に記載の３群ズーム光学系。
２．８  ＜  ｆｔ／ｆｗ
但し、ｆｔは望遠端の焦点距離、ｆｗは広角端の焦点距離である。
【請求項１８】
前記負の屈折力を有する第３レンズ群が、物体側より順に、少なくとも１面の非球面を有するプラスチックレンズと、負レンズとで構成されていることを特徴とする請求項３に記載の３群ズーム光学系。
【請求項１９】
前記プラスチックレンズが、次の条件式を満足することを特徴とする請求項１８に記載の３群ズーム光学系。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
【請求項２０】
前記第３レンズ群における前記レンズが、少なくとも１面の非球面を有するプラスチックレンズで構成されていることを特徴とする請求項４に記載の３群ズーム光学系。
【請求項２１】
前記プラスチックレンズが、次の条件式を満足することを特徴とする請求項２０に記載の３群ズーム光学系。
−０．６  ＜  ｆｔ／ｆ_Ｌ３１  ＜０．６０
但し、ｆｔは望遠端の焦点距離、ｆ_Ｌ３１は前記第３レンズ群中の物体側に配されたレンズの焦点距離である。
【請求項２２】
前記第２レンズ群における前記物体側に非球面を有する負レンズと該負レンズの隣の正レンズとを接合レンズとしたことを特徴とする請求項４に記載の３群ズーム光学系。
【請求項２３】
次の条件式を満足することを特徴とする請求項５に記載の３群ズーム光学系。
２．８  ＜  ｆｔ／ｆｗ
但し、ｆｔは望遠端の焦点距離、ｆｗは広角端の焦点距離である。
【請求項２４】
前記第３レンズ群における前記レンズが、少なくとも１面の非球面を有するプラスチックレンズで構成されていることを特徴とする請求項５に記載の３群ズーム光学系。
【請求項２５】
前記プラスチックレンズが、次の条件式を満足することを特徴とする請求項２４に記載の３群ズーム光学系。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
【請求項２６】
前記第２レンズ群における前記物体側に非球面を有する負レンズと該負レンズの隣の正レンズとを接合レンズとしたことを特徴とする請求項５に記載の３群ズーム光学系。
【請求項２７】
次の条件式を満足することを特徴とする請求項６に記載の３群ズーム光学系。
２．８  ＜  ｆｔ／ｆｗ
但し、ｆｔは望遠端の焦点距離、ｆｗは広角端の焦点距離である。
【請求項２８】
前記第２レンズ群における前記物体側に非球面を有する負レンズと該負レンズの隣の正レンズとを接合レンズとしたことを特徴とする請求項６に記載の３群ズーム光学系。
【請求項２９】
次の条件式を満足することを特徴とする請求項４、１７、２３又は２７の何れかに記載の３群ズーム光学系。
３．０  ＜  ｆｔ／ｆｗ  ＜  ４．０
但し、ｆｔは望遠端の焦点距離、ｆｗは広角端の焦点距離である。
【請求項３０】
次の条件式を満足することを特徴とする請求項７又は１３に記載のカメラ。
３．０  ＜  ｆｔ／ｆｗ  ＜  ４．０
但し、ｆｔは望遠端の焦点距離、ｆｗは広角端の焦点距離である。
【請求項３１】
請求項３乃至６の何れかに記載の３群ズーム光学系を有し、次の条件式のうち少なくとも一方を満足することを特徴とするカメラ。
Ｌｔ／ｆｔ  ＜  １．０
０．５  ＜  ｜ｆ３｜／ｈ  ＜  ０．９
但し、Ｌｔは望遠端での３群ズーム光学系の全長、ｆｔは望遠端の焦点距離、ｆ３は第３レンズ群の焦点距離、ｈは最大像高である。
【請求項３２】
請求項４乃至６の何れかに記載の３群ズーム光学系を有し、次の条件式を満足することを特徴とする請求項６に記載のカメラ。
０．６２  ＜  ｆ１／｜ｆ_Ｌ１１｜  ＜  １．４
１．１  ＜  ｆｗ／ｈ  ＜  １．６
但し、ｆ１は第１レンズ群の焦点距離、ｆｗは広角端での焦点距離、ｆ_Ｌ１１は第１レンズ群における最も物体側に配置された物体側に凹面を向けた負レンズの焦点距離、ｈは最大像高である。
【請求項３３】
次の条件式を満足することを特徴とする、請求項２、９、１６又は３１の何れかに記載のカメラ。
０．８５  ＜  Ｌｔ／ｆｔ  ＜  ０．９５
但し、Ｌｔは望遠端での３群ズーム光学系の全長、ｆｔは望遠端の焦点距離である。
【請求項３４】
請求項３乃至６又は１７乃至２９の何れかに記載の３群ズーム光学系を有することを特徴とするカメラ。
【手続補正３】
【補正対象書類名】明細書
【補正対象項目名】０００１
【補正方法】変更
【補正の内容】
【０００１】
【発明の属する技術分野】
本発明はズームレンズ、特にコンパクトカメラに好適な小型・高変倍で広画角な３群ズーム光学系及びそれを備えたカメラに関する。
【手続補正４】
【補正対象書類名】明細書
【補正対象項目名】０００４
【補正方法】変更
【補正の内容】
【０００４】
本発明は、このような問題を鑑みてなされたものであり、小型・高変倍・広画角でありながら、各レンズ群の構成を適切に配置することにより、少ない構成枚数で性能の良好な３群ズーム光学系及びそれを備えたカメラを提供することを目的とする。
【手続補正５】
【補正対象書類名】明細書
【補正対象項目名】０００５
【補正方法】変更
【補正の内容】
【０００５】
【課題を解決するための手段】
上記目的を達成するため、本第１の発明によるカメラは、物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系を備え、前記第１レンズ群が、最も物体側に、物体側に凹面を向けた負レンズを配置して構成され、前記第２レンズ群が、物体側より順に、物体側に非球面を有する負レンズと、正レンズと、正レンズの３枚のレンズで構成され、次の条件式を満足することを特徴としている。
０．６２  ＜  ｆ１／｜ｆ_Ｌ１１｜  ＜  １．４
１．１  ＜  ｆｗ／ｈ  ＜  １．６
但し、ｆ１は第１レンズ群の焦点距離、ｆ_Ｌ１１は第１レンズ群における最も物体側に配置された負レンズの焦点距離、ｆｗは広角端での焦点距離、ｈは最大像高である。
【手続補正６】
【補正対象書類名】明細書
【補正対象項目名】０００６
【補正方法】変更
【補正の内容】
【０００６】
また、本第２の発明によるカメラは、物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系を備え、前記第１レンズ群が、最も物体側に負レンズを配置して構成され、前記第２レンズ群が、物体側より順に、物体側に非球面を有する負レンズと正レンズとの接合レンズと、正の単レンズとで構成され、次の条件式のうち少なくとも一方を満足することを特徴としている。
Ｌｔ／ｆｔ  ＜  １．０
０．５  ＜  ｜ｆ３｜／ｈ  ＜  ０．９
但し、Ｌｔは望遠端での３群ズーム光学系の全長、ｆｔは望遠端の焦点距離、ｆ３は第３レンズ群の焦点距離、ｈは最大像高である。
【手続補正７】
【補正対象書類名】明細書
【補正対象項目名】００１０
【補正方法】変更
【補正の内容】
【００１０】
また、本第６の発明による３群ズーム光学系は、物体側より順に、正の屈折力を有する第１レンズ群と、正の屈折力を有する第２レンズ群と、負の屈折力を有する第３レンズ群とで構成され、広角端から望遠端への変倍に際し、前記第１レンズ群と前記第２レンズ群との間隔が増大し、前記第２レンズ群と前記第３レンズ群との間隔が減少するように、各レンズ群が物体側へ移動する３群ズーム光学系において、前記第１レンズ群が、物体側に凹面を向けた負レンズを、最も物体側に配置して構成され、前記第２レンズ群が、物体側より順に、物体側に非球面を有する負レンズと、正レンズと、正レンズの３枚のレンズで構成され、前記第３レンズ群が、物体側より順に、プラスチックレンズと、負レンズとで構成されていることを特徴としている。
また、本第７の発明によるカメラは、本第１の発明による、次の条件式を満足することを特徴とする。
２．８  ＜  ｆｔ／ｆｗ
但し、ｆｔは望遠端の焦点距離、ｆｗは広角端の焦点距離である。
また、本第８の発明によるカメラは、本第１の発明による、前記第２レンズ群における前記物体側に非球面を有する負レンズと該負レンズの隣の正レンズとを接合レンズとしたことを特徴とする。
また、本第９の発明によるカメラは、本第１の発明による、次の条件式の少なくとも一方を満足することを特徴とする。
Ｌｔ／ｆｔ  ＜  １．０
０．５  ＜  ｜ｆ３｜／ｈ  ＜  ０．９
但し、Ｌｔは望遠端での３群ズーム光学系の全長、ｆｔは望遠端の焦点距離、ｆ３は第３レンズ群の焦点距離、ｈは最大像高である。
また、本第１０の発明によるカメラは、本第１の発明による、前記負の屈折力を有する第３レンズ群が、物体側より順に、少なくとも１面の非球面を有するプラスチックレンズと、負レンズとで構成されていることを特徴とする。
また、本第１１の発明によるカメラは、本第１０の発明による、前記プラスチックレンズが、次の条件式を満足することを特徴とする。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
また、本第１２の発明によるカメラは、本第２の発明による、前記第１レンズ群における最も物体側に配置された負レンズが、物体側に凹面を向けたメニスカスレンズで構成されていることを特徴とする。
また、本第１３の発明によるカメラは、本第２の発明による、次の条件式を満足することを特徴とする。
２．８  ＜  ｆｔ／ｆｗ
但し、ｆｔは望遠端の焦点距離、ｆｗは広角端の焦点距離である。
また、本第１４の発明によるカメラは、本第２の発明による、次の条件式を満足することを特徴とする。
０．６２  ＜  ｆ１／｜ｆ_Ｌ１１｜  ＜  １．４
１．１  ＜  ｆｗ／ｈ  ＜  １．６
但し、ｆ１は第１レンズ群の焦点距離、ｆ_Ｌ１１は第１レンズ群における最も物体側に配置された負レンズの焦点距離、ｆｗは広角端での焦点距離、ｈは最大像高である。
また、本第１５の発明によるカメラは、本第２の発明による、前記負の屈折力を有する第３レンズ群が、物体側より順に、少なくとも１面の非球面を有するプラスチックレンズと、負レンズとで構成されていることを特徴とする。
また、本第１６の発明によるカメラは、本第１５の発明による、前記プラスチックレンズが、次の条件式を満足することを特徴とする。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
また、本第１７の発明による３群ズーム光学系は、本第３の発明による、次の条件式を満足することを特徴とする。
２．８  ＜  ｆｔ／ｆｗ
但し、ｆｔは望遠端の焦点距離、ｆｗは広角端の焦点距離である。
また、本第１８の発明による３群ズーム光学系は、本第３の発明による、前記負の屈折力を有する第３レンズ群が、物体側より順に、少なくとも１面の非球面を有するプラスチックレンズと、負レンズとで構成されていることを特徴とする。
また、本第１９の発明による３群ズーム光学系は、本第１８の発明による、前記プラスチックレンズが、次の条件式を満足することを特徴とする。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
また、本第２０の発明による３群ズーム光学系は、本第４の発明による、前記第３レンズ群における前記レンズが、少なくとも１面の非球面を有するプラスチックレンズで構成されていることを特徴とする。
また、本第２１の発明による３群ズーム光学系は、本第２０の発明による、前記プラスチックレンズが、次の条件式を満足することを特徴とする。
−０．６  ＜  ｆｔ／ｆ_Ｌ３１  ＜０．６０
但し、ｆｔは望遠端の焦点距離、ｆ_Ｌ３１は前記第３レンズ群中の物体側に配されたレンズの焦点距離である。
また、本第２２の発明による３群ズーム光学系は、本第４の発明による、前記第２レンズ群における前記物体側に非球面を有する負レンズと該負レンズの隣の正レンズとを接合レンズとしたことを特徴とする。
また、本第２３の発明による３群ズーム光学系は、本第５の発明による、次の条件式を満足することを特徴とする。
２．８  ＜  ｆｔ／ｆｗ
但し、ｆｔは望遠端の焦点距離、ｆｗは広角端の焦点距離である。
また、本第２４の発明による３群ズーム光学系は、本第５の発明による、前記第３レンズ群における前記レンズが、少なくとも１面の非球面を有するプラスチックレンズで構成されていることを特徴とする。
また、本第２５の発明による３群ズーム光学系は、本第２４の発明による、前記プラスチックレンズが、次の条件式を満足することを特徴とする。
−０．６０  ＜  ｆｔ／ｆ_Ｌ３１  ＜  ０．６０
但し、ｆｔは望遠端の焦点距離、ｆ_Ｌ３１は前記第３レンズ群中の物体側に配されたレンズの焦点距離である。
また、本第２６の発明による３群ズーム光学系は、本第５の発明による、前記第２レンズ群における前記物体側に非球面を有する負レンズと該負レンズの隣の正レンズとを接合レンズとしたことを特徴とする。
また、本第２７の発明による３群ズーム光学系は、本第６の発明による、次の条件式を満足することを特徴とする。
２．８  ＜  ｆｔ／ｆｗ
但し、ｆｔは望遠端の焦点距離、ｆｗは広角端の焦点距離である。
また、本第２８の発明による３群ズーム光学系は、本第６の発明による、前記第２レンズ群における前記物体側に非球面を有する負レンズと該負レンズの隣の正レンズとを接合レンズとしたことを特徴とする。
また、本第２９の発明による３群ズーム光学系は、本第４、１７、２３又は２７の何れかの発明による、次の条件式を満足することを特徴とする。
３．０  ＜  ｆｔ／ｆｗ  ＜  ４．０
但し、ｆｔは望遠端の焦点距離、ｆｗは広角端の焦点距離である。
また、本第３０の発明によるカメラは、本第７又は１３の発明による、次の条件式を満足することを特徴とする。
３．０  ＜  ｆｔ／ｆｗ  ＜  ４．０
但し、ｆｔは望遠端の焦点距離、ｆｗは広角端の焦点距離である。
また、本第３１の発明によるカメラは、本第３乃至６の発明の何れかに記載の３群ズーム光学系を有し、次の条件式のうち少なくとも一方を満足することを特徴とする。
Ｌｔ／ｆｔ  ＜  １．０
０．５  ＜  ｜ｆ３｜／ｈ  ＜  ０．９
但し、Ｌｔは望遠端での３群ズーム光学系の全長、ｆｔは望遠端の焦点距離、ｆ３は第３レンズ群の焦点距離、ｈは最大像高である。
また、本第３２の発明によるカメラは、本第４乃至６の発明の何れかに記載の３群ズーム光学系を有し、次の条件式を満足することを特徴とする。
０．６２  ＜  ｆ１／｜ｆ_Ｌ１１｜  ＜  １．４
１．１  ＜  ｆｗ／ｈ  ＜  １．６
但し、ｆ１は第１レンズ群の焦点距離、ｆｗは広角端での焦点距離、ｆ_Ｌ１１は第１レンズ群における最も物体側に配置された物体側に凹面を向けた負レンズの焦点距離、ｈは最大像高である。
また、本第３３の発明によるカメラは、本第２、９、１６又は３１の発明による、次の条件式を満足することを特徴とする。
０．８５  ＜  Ｌｔ／ｆｔ  ＜  ０．９５
但し、Ｌｔは望遠端での３群ズーム光学系の全長、ｆｔは望遠端の焦点距離である。
また、本第３４の発明によるカメラは、本第３乃至６又は１７乃至２９の発明の何れかに記載の３群ズーム光学系を有することを特徴とする。
【手続補正８】
【補正対象書類名】明細書
【補正対象項目名】００１４
【補正方法】変更
【補正の内容】
【００１４】
以上が、本発明にかかる３群ズーム光学系の基本的な構成である。そして、本第１の発明のカメラは、３群ズーム光学系が、上記基本構成において、次の条件式(1) および(2)を満足する。
０．６２  ＜  ｆ１／｜ｆ_Ｌ１１｜  ＜  １．４      …(1)
１．１  ＜  ｆｗ／ｈ  ＜  １．６                   …(2)
但し、ｆ１は第１レンズ群の焦点距離、ｆ_Ｌ１１は第１レンズ群における最も物体側に配置された負レンズの焦点距離、ｆｗは広角端での焦点距離、ｈは最大像高である。
【手続補正９】
【補正対象書類名】明細書
【補正対象項目名】００１６
【補正方法】変更
【補正の内容】
【００１６】
また、本第２の発明のカメラは、３群ズーム光学系が、上記基本構成において、第２レンズ群の物体側に非球面を有する負レンズと正レンズとが、接合レンズとなっている。そして、次の条件式(3)，(4) のうち少なくともいずれか一方を満足する。
Ｌｔ／ｆｔ  ＜  １．０                              …(3)
０．５  ＜  ｜ｆ３｜／ｈ  ＜  ０．９                …(4)
但し、Ｌｔは望遠端での３群ズーム光学系の全長、ｆｔは望遠端の焦点距離、ｆ３は第３レンズ群Ｇ３の焦点距離、ｈは最大像高である。
【手続補正１０】
【補正対象書類名】明細書
【補正対象項目名】００１７
【補正方法】変更
【補正の内容】
【００１７】
本第２の発明のカメラは、３群ズーム光学系が、第２レンズ群において、物体側に非球面を有する負レンズＬ２１と正レンズＬ２２を接合レンズにしている。これにより、組み立て工数を削減することができるので、製造コストを削減することができる。さらに、第２レンズ群Ｇ２内における偏心感度が低下するので、製造誤差によるバラツキを抑える効果が得られる。
【手続補正１１】
【補正対象書類名】明細書
【補正対象項目名】００１８
【補正方法】変更
【補正の内容】
【００１８】
条件式(3)の上限を上回ると、小型化への要求に応えられなくなる。
また、条件式(4)の上限を上回ると、小型化・高変倍化を達成することが困難となる。他方、条件式(4)の下限を下回ると収差発生を抑えきれなくなり、性能のバランスが取れなくなる。
本発明のカメラは、３群ズーム光学系が、上記条件式(3)か条件式(4)のどちらか一方を満足していればよい。なお、上記条件式(3)と条件式(4)の両方を満足する方が好ましいことは言うまでもない。
【手続補正１２】
【補正対象書類名】明細書
【補正対象項目名】００３５
【補正方法】変更
【補正の内容】
【００３５】
また、第３レンズ群Ｇ３におけるレンズＬ３１を、少なくとも１面の非球面を有するプラスチックレンズで構成するのが良い。このようにすると、非球面により、主に広角端で発生する軸外収差、特にコマ収差を良好に補正することができる。さらに、プラスチックレンズはガラス研磨レンズに比べ低コストであるので、コスト削減につながる。
【手続補正１３】
【補正対象書類名】明細書
【補正対象項目名】００３６
【補正方法】変更
【補正の内容】
【００３６】
さらに、レンズＬ３１について、次の条件式(6)を満足するのが望ましい。
−０．６０  ＜  ｆｔ／ｆ_Ｌ３１  ＜  ０．６０      …(6)
但し、ｆｔは望遠端の焦点距離、ｆ_Ｌ３１は前記第３レンズ群中の物体側に配されたレンズの焦点距離である。
【手続補正１４】
【補正対象書類名】明細書
【補正対象項目名】０１３０
【補正方法】変更
【補正の内容】
【０１３０】
【発明の効果】
以上説明したように本発明によれば、小型・高変倍・広画角でありながら、少ない構成枚数で性能の良好な３群ズーム光学系及びそれを備えたカメラを実現することができる。